(57)【要約】【課題】  差し替え用の複数枚の被表示物を散逸したり紛失しないように確実に保持することができ、又、展示された被表示物を見栄え良くかつ破損しないように表示しうる壁掛卓上ディスプレイ装置を提供する。【解決手段】  被表示物を保持しうる表示部と、上記被表示物と差し替え可能なその他の複数枚の被表示物を収納しうる保管部とを有する。上記保管部は、上面部に開口を有する中空の箱状に形成され、上記背板部の表面部に突出する状態に一体に形成され、上記表示部に没入して、上記表示部に保持された被表示物の裏面と、上記表示部の裏面部を被覆する背板部の表面部との間に隠蔽される状態に配設される。上記背板部の裏面部には、壁掛け部と、テーブル等の上に立てて置く場合の支持部とが併設されている。【選択図】  図４
0003127627.tif 000002
【実用新案登録請求の範囲】
【請求項１】
１枚のシート状の被表示物を目視しうる状態に保持しうる表示部と、
上記被表示物と差し替え可能なその他の複数枚の被表示物を収納しうる保管部とを有し、
上記保管部は、上記表示部に保持された被表示物の裏面と、上記表示部の裏面部を被覆する背板部の表面部との間に隠蔽される状態に配設され、
上記背板部の裏面部には、壁掛け部と、テーブル等の上に立てて置く場合の支持部とが併設されていることを特徴とする壁掛卓上ディスプレイ装置。
【請求項２】
上記保管部は、上面部に開口を有する中空の箱状に形成され、上記背板部の表面部に突出する状態に一体に形成されていることを特徴とする請求項１記載の壁掛卓上ディスプレイ装置。
【請求項３】
上記背板部と上記表示部は、折曲部を介して折り畳み可能かつ展開可能に連設され、折り畳み状態で、上記背板部の表面部と、上記表示部の裏面部とが密着しうるように形成されていることを特徴とする請求項１又は２のいずれかに記載された壁掛卓上ディスプレイ装置。
【請求項４】
上記表示部は額縁状に形成され、保持した被表示物を目視しうる窓部が表面部に設けられると共に、裏面部には凹部が設けられ、上記保管部は上記凹部に没入可能に形成され、上記保管部が上記凹部に没入した状態で、上記保管部の表面部が上記表示部に保持された上記被表示物の裏面に当接しうるように形成されていることを特徴とする請求項１〜３のいずれか１項に記載された壁掛卓上ディスプレイ装置。
【請求項５】
上記壁掛け部と、上記支持部は、上記背板部の裏面部に切込線と折曲線とにより折り起こし可能に形成されていることを特徴とする請求項１〜４のいずれか１項に記載された壁掛卓上ディスプレイ装置。
【請求項６】
上記壁掛け部は、孔部を有する吊下片により形成され、上記支持部は、左右一対の支脚片と、上記支脚片が折り起こされた状態で同支脚片と係合しうる固定片とにより構成されていることを特徴とする請求項５記載の壁掛卓上ディスプレイ装置。
【考案の詳細な説明】
【技術分野】
【０００１】
本考案は、壁に掛けた状態で使用できると共に、テーブル等の上に立てて置いた状態でも使用可能な壁掛卓上ディスプレイ装置に係り、特に、複数枚の被表示物を互いに差し替えて表示することができる壁掛卓上ディスプレイ装置に関する。
【背景技術】
【０００２】
従来のディスプレイ装置で、壁に掛けたり、テーブル等の上に立てて置くように形成されたものは存在するが、それらは１枚の被表示物を保持できるのみであり、被表示物を差し替えて表示することができないという不具合があった。
【０００３】
これに対し、壁に掛けたり、テーブル等の上に立てて置くことができる壁掛卓上兼用カレンダーは、例えば特許文献１により公知である。
【特許文献１】実登３１０６６７７号
【０００４】
上記特許文献１所載の壁掛卓上兼用カレンダーは、複数枚のカレンダー紙が綴じられた状態でカレンダー紙取付体に設けられており、カレンダー紙は切りとって差し替えることができる。
上記のように、カレンダーの場合は、カレンダー紙を切り取る必要があるので、カレンダー紙を綴じ込んでおく方が便利である。
【０００５】
しかしながら、ディスプレイ装置で展示される被表示物は、夫々独立した創作物であることが多く、カレンダー紙のように複数枚を一体に綴じ込んで、差し替えのために切り取るのは差し障りがある。
したがって、ディスプレイ装置で展示される被表示物は、夫々分離して保持する必要がある。
【０００６】
上記のようにディスプレイ装置で分離した複数枚の被表示物を保持する場合、展示されている被表示物は問題ないが、その他の差し替え用の複数枚の被表示物は保管場所がないという不具合がある。
したがって、その他の差し替え用の複数枚の被表示物は散逸したり、紛失する可能性がある。
【０００７】
また、展示されている被表示物も、上記カレンダー紙のように外部に露出されたままだと、装飾性に欠けて見栄えが良くなく、かつ破損しやすいという不具合がある。
【考案の開示】
【考案が解決しようとする課題】
【０００８】
そこで本考案の課題は、差し替え用の複数枚の被表示物を散逸したり紛失しないように確実に保持することができ、又、展示された被表示物を見栄え良くかつ破損しないように表示しうる壁掛卓上ディスプレイ装置を提供することにある。
【課題を解決するための手段】
【０００９】
上記課題を解決するために、本考案に係る壁掛卓上ディスプレイ装置は、１枚のシート状の被表示物を目視しうる状態に保持しうる表示部と、上記被表示物と差し替え可能なその他の複数枚の被表示物を収納しうる保管部とを有し、上記保管部は、上記表示部に保持された被表示物の裏面と、上記表示部の裏面部を被覆する背板部の表面部との間に隠蔽される状態に配設され、上記背板部の裏面部には、壁掛け部と、テーブル等の上に立てて置く場合の支持部とが併設されていることを特徴とする。
【００１０】
すなわち、本考案に係る上記壁掛卓上ディスプレイ装置にあっては、背板部の裏面部に設けられた上記壁掛け部により壁に掛けて展示することができると共に、上記支持部によりテーブル等の上に立てて展示することもできる。
また、展示する被表示物は上記表示部により保持されるが、その他の差し替え用の被表示物は上記保管部に収納して保持することができる。
また、上記保管部は、上記表示部に保持された被表示物の裏面と、上記表示部の裏面部を被覆する背板部の表面部との間に隠蔽される状態に配設されており、外部から目視できない。  
【００１１】
また、本考案に係る上記壁掛卓上ディスプレイ装置は、上記保管部が、上面部に開口を有する中空の箱状に形成され、上記背板部の表面部に突出する状態に一体に形成されていることを特徴とする。
【００１２】
すなわち、本考案に係る上記壁掛卓上ディスプレイ装置にあっては、差し替え用の被表示物は、上記開口を通して、箱状に形成された上記保管部に対し出し入れすることができる。
また、上記保管部は、上記背板部の表面部に突出する状態に一体に形成されていることから、上記保管部は所要のスペースを確保することができる。
【００１３】
また、本考案に係る上記壁掛卓上ディスプレイ装置は、上記背板部と上記表示部が、折曲部を介して折り畳み可能かつ展開可能に連設され、折り畳み状態で、上記背板部の表面部と、上記表示部の裏面部とが密着しうるように形成されていることを特徴とする。
【００１４】
すなわち、本考案に係る上記壁掛卓上ディスプレイ装置にあっては、上記背板部と上記表示部が連設されていることから、上記背板部は上記表示部から分離して散逸する虞がない。
また、上記背板部と上記表示部は、折曲部を介して折り畳み可能かつ展開可能であることから、展示する場合は折り畳み、被表示物を差し替える場合は展開して、作業を容易化することができる。
また、上記背板部と上記表示部の折り畳み状態で、上記背板部の表面部と、上記表示部の裏面部とが密着することから、形状がコンパクトになって嵩張らない。
【００１５】
また、本考案に係る上記壁掛卓上ディスプレイ装置は、上記表示部が額縁状に形成され、保持した被表示物を目視しうる窓部が表面部に設けられると共に、裏面部には凹部が設けられ、上記保管部は上記凹部に没入可能に形成され、上記保管部が上記凹部に没入した状態で、上記保管部の表面部が上記表示部に保持された上記被表示物の裏面に当接しうるように形成されていることを特徴とする。
【００１６】
すなわち、本考案に係る上記壁掛卓上ディスプレイ装置にあっては、上記表示部が額縁状に形成されていることから、装飾性を高められる。また、被表示物は上記窓部から目視することができる。
また、上記表示部の裏面部に形成された上記凹部に、上記保管部が没入することから、上記保管部の厚さが吸収され、厚さの増大を回避することができる。
また、上記保管部の表面部が上記表示部に保持された上記被表示物の裏面に当接することから、上記被表示物は裏面を支持されて安定する。
【００１７】
また、本考案に係る上記壁掛卓上ディスプレイ装置は、上記壁掛け部と、上記支持部は、上記背板部の裏面部に切込線と折曲線とにより折り起こし可能に形成されていることを特徴とする。
【００１８】
すなわち、本考案に係る上記壁掛卓上ディスプレイ装置にあっては、上記壁掛け部と、上記支持部は、使用する際に折り起こせばよく、搬送したり保管する場合は折り起こさずに扁平な状態を維持することができる。
【００１９】
また、本考案に係る上記壁掛卓上ディスプレイ装置は、上記壁掛け部が、孔部を有する吊下片により形成され、上記支持部は、左右一対の支脚片と、上記支脚片が折り起こされた状態で同支脚片と係合しうる固定片とにより構成されていることを特徴とする。
【００２０】
すなわち、本考案に係る上記壁掛卓上ディスプレイ装置にあっては、上記壁掛け部が、孔部を有する吊下片により形成されていることから、壁面に設けられたフック等を上記孔部に挿入すれば、容易に吊り下げた状態で展示することができる。
また、上記支持部は、左右一対の支脚片を有するので、左右のバランスが良好である。
また、上記支脚片には上記固定片が係合されることから、折り起こされた状態が安定し、倒れにくくなる。
【考案の効果】
【００２１】
請求項１記載の本考案に係る壁掛卓上ディスプレイ装置は、１枚のシート状の被表示物を目視しうる状態に保持しうる表示部と、上記被表示物と差し替え可能なその他の複数枚の被表示物を収納しうる保管部とを有し、上記保管部は、上記表示部に保持された被表示物の裏面と、上記表示部の裏面部を被覆する背板部の表面部との間に隠蔽される状態に配設され、上記背板部の裏面部には、壁掛け部と、テーブル等の上に立てて置く場合の支持部とが併設されていることから、
表示される被表示物は上記表示部により保持され、差し替え用のその他の複数枚の被表示物は上記保管部に収納され、被表示物が露出したままにならないので、上記被表示物の散逸や紛失を防止することができる。
また、上記保管部は被表示物の裏面と上記背板部の表面部との間に隠蔽されるので、上記保管部が剥き出しにならず、見栄えが良い。
また、上記表示部に保持されて表示される被表示物は、上記表示部により保護されるので破損が防止される。
また、上記表示部に装飾を施して装飾性を向上させることができる。
また、上記壁掛け部と、上記支持部により、壁に掛けて飾ったり、テーブル等の上に立てて置くこともでき、使い勝手が良好である。
【００２２】
請求項２記載の本考案に係る壁掛卓上ディスプレイ装置は、上記保管部は、上面部に開口を有する中空の箱状に形成され、上記背板部の表面部に突出する状態に一体に形成されていることから、差し替え用の複数枚の被表示物を上記開口から上記保管部に容易に収納することができると共に、差し替える場合に容易に取り出すことができる。
【００２３】
請求項３記載の本考案に係る壁掛卓上ディスプレイ装置は、上記背板部と上記表示部は、折曲部を介して折り畳み可能かつ展開可能に連設され、折り畳み状態で、上記背板部の表面部と、上記表示部の裏面部とが密着しうるように形成されていることから、上記背板部と上記表示部は一体で、互いに分離して散逸する心配がない。
また、上記背板部を上記表示部に対し展開することにより、上記保管部が露呈するので、上記保管部に被表示物を容易に出し入れ可能で、被表示物の差し替えが容易である。
また、上記背板部を上記表示部に対し折り畳むことにより、上記背板部の表面部を、上記表示部の裏面部に密着させて、上記保管部を容易に隠蔽することができる。
【００２４】
請求項４記載の本考案に係る壁掛卓上ディスプレイ装置は、上記表示部は額縁状に形成されていることから、表示された被表示物の周囲の装飾性が向上する。
また、上記表示部の裏面部には凹部が設けられ、上記保管部は上記凹部に没入可能に形成されていることから、上記保管部が上記背板部の表面部に突出するように形成されていても、上記保管部の厚さが上記表示部の厚さに吸収されるので、全体の厚さが過度に増大することを回避して、コンパクトにすることができる。
また、上記保管部が上記凹部に没入した状態で、上記保管部の表面部が上記表示部に保持された上記被表示物の裏面に当接しうるように形成されていることから、表示された被表示物の背面部が上記保管部により支持されて安定する。
【００２５】
請求項５記載の本考案に係る壁掛卓上ディスプレイ装置は、上記壁掛け部と、テーブル等の上に立てて置く場合の支持部は、上記背板部の裏面部に切込線と折曲線とにより折り起こし可能に形成されていることから、上記壁掛け部と、上記支持部を折り起こすことにより簡単に形成することができ、壁に掛けたり、テーブル等の上に立てて置くことが即座に可能である。
【００２６】
請求項６記載の本考案に係る壁掛卓上ディスプレイ装置は、上記壁掛け部が、孔部を有する吊下片により形成されていることから、上記壁掛け部の形成が容易である。
また、上記支持部は、左右一対の支脚片と、上記支脚片が折り起こされた状態で同支脚片と係合しうる固定片とにより構成されていることから、テーブル等の上に立てて置いた状態の安定性が良好である。
【考案を実施するための最良の形態】
【００２７】
以下、図面を用いて本考案の実施の形態について説明する。
本実施の形態に係る壁掛卓上ディスプレイ装置１１は、図１に示すように、１枚のシート状の被表示物１２を目視しうる状態に保持しうる表示部１３と、図３及び図４に示すように、上記被表示物１２と差し替え可能なその他の複数枚の被表示物２３を収納しうる保管部２４とを有し、上記保管部２４は、上記表示部１３に保持された被表示物１２の裏面２７と、上記表示部１３の裏面部１８を被覆する背板部２０の表面部２２との間に隠蔽される状態に配設され、図２及び図５に示すように、上記背板部２０の裏面部３１には、壁掛け部２８と、テーブル等の上に立てて置く場合の支持部３０とが併設されている。
【００２８】
また、上記保管部２４は、図３及び図４に示すように、上面部に開口２５を有する中空の箱状に形成され、上記背板部２０の表面部２２に突出する状態に一体に形成されている。
また、上記背板部２０と上記表示部１３は、折曲部２１を介して折り畳み可能かつ展開可能に連設され、折り畳み状態で、上記背板部２０の表面部２２と、上記表示部１３の裏面部１８とが密着しうるように形成されている。
【００２９】
また、図１に示すように、上記表示部１３は額縁状に形成され、保持した被表示物１２を目視しうる窓部１５が表面部１６に設けられると共に、図３に示すように、裏面部１８には凹部１９が設けられ、図４に示すように、上記保管部２４は上記凹部１９に没入可能に形成され、上記保管部２４が上記凹部１９に没入した状態で、上記保管部２４の表面部２６が上記表示部１３に保持された上記被表示物１２の裏面２７に当接しうるように形成されている。
また、図５に示すように、上記壁掛け部２８と、上記支持部３９は、上記背板部２０の裏面部３１に切込線３３，３４，３５，３６と折曲線３７，３８，３９，４０とにより折り起こし可能に形成されている。
また、図２及び図５に示すように、上記壁掛け部２８は、孔部４１を有する吊下片４２により形成され、上記支持部３０は、左右一対の支脚片４３，４４と、上記支脚片４３，４４が折り起こされた状態で同支脚片４３，４４と係合しうる固定片４５とにより構成されている。
【実施例１】
【００３０】
図は実施例に係る壁掛卓上ディスプレイ装置１１を示したものである。
本実施例に係る壁掛卓上ディスプレイ装置１１は、図１に示すように、１枚のシート状の被表示物１２を目視しうる状態に保持しうる表示部１３を有している。
上記被表示物１２としては、例えば写真１４等を展示することができる。
【００３１】
上記表示部１３は、図１に示すように、額縁状に形成され、保持した被表示物１２を目視しうる窓部１５が表面部１６に設けられている。
上記窓部１５には、図１及び図３に示すように、窓孔１７が穿設されている。
【００３２】
上記表示部１３の裏面部１８には、図３に示すように、方形の凹部１９が設けられている。
上記凹部１９は、上記窓孔１７と連通するように形成されている。
したがって、上記被表示物１２は、上記凹部１９から上記表示部１３の内部に収納することができ、上記窓部１５の内面側に配置することができる。
【００３３】
上記表示部１３の裏面部１８は、図１及び図２に示すように、背板部２０により被覆されるように形成されている。したがって、上記背板部２０は上記凹部１９の蓋の役割を果たすことができる。
【００３４】
上記背板部２０は、図３に示すように、折曲部２１を介して上記表示部１３に対し折り畳み可能かつ展開可能に連設されている。
上記背板部２０は、図１及び図２に示すように、折り畳み状態で、表面部２２が上記表示部１３の裏面部１８と密着するように形成されている。
【００３５】
また、上記壁掛卓上ディスプレイ装置１１は、上記表示部１３に保持された上記被表示物１２と差し替えるための、複数枚のその他の被表示物２３を収納しうる保管部２４を備えている。
【００３６】
上記保管部２４は、図３及び図４に示すように、上記背板部２０の表面部２２に突出する状態に一体に形成されている。
また、上記保管部２４は、上面部に開口２５を有する中空の箱状に形成されている。したがって、上記その他の被表示物２３は、上記開口２５を通して上記保管部２４に対し出し入れすることができる。
【００３７】
上記保管部２４は、図３及び図４に示すように、上記凹部１９に対し、没入可能な形状及びサイズに形成されている。
また、上記保管部２４は、上記凹部１９に没入した状態で、その表面部２６が上記表示部１３に保持された上記被表示物１２の裏面２７に当接しうるように形成されている。
【００３８】
上記保管部２４は、図４に示すように、上記背板部２０を上記表示部１３に対し折り畳んだ際に、自動的に上記凹部１９に没入する。
また、上記保管部２４は、図３に示すように、上記背板部２０を上記表示部１３に対し展開させた際に、自動的に上記凹部１９から脱出する。
【００３９】
上記保管部２４は、図４に示すように、上記凹部１９に没入すると、上記表示部１３に保持された被表示物１２の裏面２７と、上記表示部１３の裏面部１８を被覆する上記背板部２０の表面部２２との間に、隠蔽された状態で配置されることになる。
【００４０】
上記壁掛卓上ディスプレイ装置１１は、壁に掛けて展示できるように壁掛け部２８が設けられている。
また、テーブル２９等の上に立てて展示できるように支持部３０も併設されている。
【００４１】
図５に示すように、上記壁掛け部２８と、上記支持部３０は、共に、上記背板部２０の裏面部３１に設けられている。
上記背板部２０は厚紙が２重に重ねられた構造になっており、その外面部材３２に上記壁掛け部２８と上記支持部３０が形成されている。
【００４２】
図５に示すように、上記壁掛け部２８と、上記支持部３０は、上記背板部２０における上記外面部材３２に、切込線３３，３４，３５，３６と、折曲線３７，３８，３９，４０とにより折り起こし可能に形成されている。
【００４３】
図５に示すように、上記壁掛け部２８は、孔部４１を有する吊下片４２により形成されている。
また、上記支持部３０は、左右一対の支脚片４３，４４と、上記支脚片４３，４４が折り起こされた状態で、同支脚片４３，４４と係合しうる固定片４５とにより構成されている。
なお、上記支脚片４３，４４と上記固定片４５には、両者を係合しうるように、所要位置に夫々係合凹部４６，４７，４８，４９が設けられている。
【００４４】
すなわち、図５に示すように、上記背板部２０における上記外面部材３２には、幅方向中央部の上端にＵ字状の切込線３３が形成されると共に、上記切込線３３の両端間に折り曲げ線３７が幅方向に沿って形成されることにより上記吊下片４２が設けられ、上記吊下片４２の略中央部に上記孔部４１が形成されることにより上記壁掛け部２８が構成されている。
また、上記外面部材３２において、幅方向の中央部から少し外方へずれた位置に、略ハ字状で、上下両端部が幅方向中央部側へ曲がった左右一対の上記切込線３４，３５が形成されると共に、上記切込線３４，３５の上下両端間に高さ方向に沿って上記折曲線３８，３９が形成されることにより、上記支脚片４３，４４が設けられている。なお、上記切込線３４，３５の一部箇所に、上記支脚片４３，４４を折り起こす際に指先を挿入しうる指掛孔５０，５１が添設されている。
また、上記外面部材３２において、略中央部には、幅方向に沿って、両端が下方へ曲がった上記切込線３６が形成されると共に、上記切込線３６の両端間に、幅方向に沿って上記折曲線４０が形成されることにより、両端部が上記支脚片４３，４４と交叉するように上記固定片４５が設けられている。
【００４５】
次に、上記実施例の作用について説明する。
上記壁掛卓上ディスプレイ装置１１は、図１に示すように、上記吊下片４２を上方へ折り起こして、壁面に設けられたフック等を上記孔部４１に挿通することにより、壁に掛けて展示することができる。
また、図２に示すように、上記支脚片４３，４４を上記背板部２０に対し垂直に折り起こして、同じく折り起こした上記固定片４５を上記支脚片４３，４４に係合させることにより、図４に示すように、テーブル２９等の上に立てた状態で展示することができる。
【００４６】
上記壁掛卓上ディスプレイ装置１１は、上記表示部１２に写真１４等の被表示物１２を保持して展示することができる。
上記壁掛卓上ディスプレイ装置１１は、上記保管部２４を備えているので、上記被表示物１２と差し替えるための、その他被表示物２３を上記保管部２４に収納して保持することができる。
【００４７】
上記保管部２４は箱状に形成されていることから、上記被表示物２３を収納した状態で確実に保護され、破損の心配がない。
また、上記保管部２４は背板部２０から突出するように形成されているので、上記被表示物２３の収納スペースを十分に確保することができると共に、上記開口２５を通して上記被表示物２３を容易に出し入れすることができる。
【００４８】
また、上記保管部２４は上記背板部２０と一体に形成され、上記背板部２０を上記表示部１３に対し展開させることにより容易に露呈するので、上記被表示物２３の差し替えを即座に行うことができる。
【００４９】
また、上記背板部２０と上記表示部１３を折り畳むと、上記保管部２４は上記凹部１９に没入することから、上記保管部２４は上記表示部１３と上記背板部２０の間に隠蔽されて外部から目視できない。したがって、上記保管部２４が目障りにならない。
また、上記保管部２４の厚さが上記表示部１３の厚さに吸収されるので、全体の厚さ寸法の増大を回避することができ、全体をコンパクトにすることができる。
【００５０】
また、上記壁掛け部２８と上記支持部３９は、上記背板部２０における上記外面部材３２を、上記切込線３３，３４，３５，３６と、上記折曲線３７，３８，３９，４０の位置で折り起こすことにより容易に形成することができる。
【００５１】
また、上記表示部１３が額縁状に形成されているので、装飾性が向上し、展示された被表示物１２の外観品質ｓｓｓが良くなる。また、本実施例に係る壁掛卓上ディスプレイ装置１１にあっては、全体が紙製であることから、環境にやさしいエコロジカルな壁掛卓上ディスプレイ装置を提供することができる。
【産業上の利用可能性】
【００５２】
本考案は、壁に掛けて展示し、かつテーブル等の上に立てて置くディスプレイ装置に適用可能である。
【図面の簡単な説明】
【００５３】
【図１】本考案の実施例に係る壁掛卓上ディスプレイ装置の正面側の斜視図である。
【図２】本考案の実施例に係る壁掛卓上ディスプレイ装置の背面側の斜視図である。
【図３】本考案の実施例に係る壁掛卓上ディスプレイ装置の背板部を展開した状態を示す斜視図である。
【図４】本考案の実施例に係る壁掛卓上ディスプレイ装置をテーブル上に立てて置いた状態を示す断面図である。
【図５】本考案の実施例に係る壁掛卓上ディスプレイ装置の背面図である。
【符号の説明】
【００５４】
１１  壁掛卓上ディスプレイ装置
１２  被表示物
１３  表示部
１４  写真
１５  窓部
１６  表面部
１７  窓板
１８  裏面部
１９  凹部
２０  背板部
２１  折曲部
２２  表面部
２３  その他の被表示物
２４  保管部
２５  開口
２６  表面部
２７  被表示物の裏面
２８  壁掛け部
２９  テーブル
３０  支持部
３１  裏面部
３２  外面部材
３３  切込線
３４  切込線
３５  切込線
３６  切込線
３７  折曲線
３８  折曲線
３９  折曲線
４０  折曲線
４１  孔部
４２  吊下片
４３  支脚片
４４  支脚片
４５  固定片
４６  係合凹部
４７  係合凹部
４８  係合凹部
４９  係合凹部
５０  指掛孔
５１  指掛孔
【図１】
0003127627.tif 000003
【図２】
0003127627.tif 000004
【図３】
0003127627.tif 000005
【図４】
0003127627.tif 000006
【図５】
0003127627.tif 000007